(57)【要約】【課題】  絶縁油の酸化劣化を防止しつつ、切換開閉器のタップ切換動作時に発生するガスに起因して絶縁油の絶縁性能が劣化することを防止した絶縁油の絶縁性能維持方法を提供する。【解決手段】  切換開閉器２の容器２ｂ内において、不活性ガスからなる気層部７で絶縁油５を密封し、絶縁油５の酸化劣化を防止する。また、切換開閉器２のタップ切換動作によって発生したガスを気層部７へ移行させることで、絶縁油５中でガス濃度が上昇することを抑制し、絶縁油５に対して溶解度の低い水素や酸素、窒素が絶縁油５中で気泡化することを防止する。ガスが絶縁油５中で気泡化することがないので、絶縁油５の絶縁性能の劣化を防止できる。【選択図】        図１
2019114587.tif 000002
【特許請求の範囲】
【請求項１】
負荷時タップ切換装置を構成する切換開閉器の容器内の絶縁油面上に不活性ガスを封入して気層部を設け、かつ、該絶縁油を不活性ガス飽和油として前記容器内に密封し、前記切換開閉器のタップ切換えに伴って発生した可燃性ガスや二酸化炭素を前記気層部に移行させ、前記容器内の圧力が基準圧以上に上昇した場合に放圧することを特徴とする絶縁油の絶縁性能維持方法。
【請求項２】
負荷時タップ切換装置を構成する切換開閉器の容器内の絶縁油面上に不活性ガスを封入して気層部を設け、かつ、該絶縁油を不活性ガス飽和油として前記容器内に密封し、前記切換開閉器のタップ切換えに伴って発生した可燃性ガスや二酸化炭素を前記気層部に移行させ、前記気層部の不活性ガス濃度が基準値以下に低下した場合に前記容器内を放圧することを特徴とする絶縁油の絶縁性能維持方法。
【請求項３】
負荷時タップ切換装置を構成する切換開閉器の容器内の絶縁油面上に不活性ガスを封入して気層部を設け、かつ、該絶縁油を不活性ガス飽和油として前記容器内に密封し、前記切換開閉器のタップ切換えに伴って発生した可燃性ガスや二酸化炭素を前記気層部に移行させ、前記容器内の圧力が基準圧以上に上昇した場合若しくは前記気層部の不活性ガス濃度が基準値以下に低下した場合に前記容器内を放圧することを特徴とする絶縁油の絶縁性能維持方法。
【請求項４】
負荷時タップ切換装置を構成する切換開閉器の容器内の絶縁油面上に空気による気層部を設けて該絶縁油を前記容器内に密封し、前記切換開閉器のタップ切換えに伴って発生した可燃性ガスや二酸化炭素を前記気層部に移行させることを特徴とする絶縁油の絶縁性能維持方法。
【請求項５】
前記切換開閉器は、真空バルブ式の接点を採用していることを特徴とする請求項１乃至請求項４の何れかに記載の絶縁油の絶縁性能維持方法。
【請求項６】
前記絶縁油は、植物系絶縁油であることを特徴とする請求項１乃至請求項５の何れかに記載の絶縁油の絶縁性能維持方法。
【請求項７】
前記植物系絶縁油は、パームヤシ脂肪酸エステル油等、鉱油と同等かより粘度の低い植物系油であることを特徴とする請求項６記載の絶縁油の絶縁性能維持方法。
【発明の詳細な説明】
【技術分野】
【０００１】
本発明は、負荷時タップ切換装置の切換開閉器内に充填する絶縁油の絶縁性能を維持する方法に関する。
【背景技術】
【０００２】
油膨張室（コンサベータ）内の袋体（ゴム袋）によって、油膨張室に接続される負荷時タップ切換装置の容器内に充填した絶縁油が空気と接触して酸化することを防止する構造の変圧器は従来から知られている（下記特許文献１参照）。
【先行技術文献】
【特許文献】
【０００３】
【特許文献１】特許第５２０９５８１号
【特許文献２】特開２０１５−１１５３９７
【０００４】
このような負荷時タップ切換装置では、切換開閉器によるタップ切換動作に伴って絶縁油中に分解ガスが発生すると、絶縁油に対して溶解度の低い水素や酸素、窒素が絶縁油中で気泡化する。気泡化したこれらのガスは絶縁油の絶縁性能に支障をきたすため、特許文献１のように絶縁油が袋体（ゴム袋）によって完全に密封されていることは好ましくない。
【０００５】
つまり、上記特許文献２記載のように、コンサベータにゴム膜やゴム袋を設けない開放型とし、絶縁油中で気泡化したガスを外部へ放出する必要がある。
【発明の概要】
【発明が解決しようとする課題】
【０００６】
しかし、開放型の負荷時タップ切換装置では、絶縁油が空気と接触し酸化劣化する問題が生じる。
【０００７】
そこで、本発明では、絶縁油が空気と接触して酸化劣化することを抑制しつつ、絶縁油中で気泡化した分解ガスが絶縁油の絶縁性能を悪化させることを防止する絶縁油の絶縁性能維持方法を開示する。
【課題を解決するための手段】
【０００８】
請求項１記載の発明は、負荷時タップ切換装置を構成する切換開閉器の容器内の絶縁油面上に不活性ガスを封入して気層部を設け、かつ、該絶縁油を不活性ガス飽和油として前記容器内に密封し、前記切換開閉器のタップ切換えに伴って発生した可燃性ガスや二酸化炭素を前記気層部に移行させ、前記容器内の圧力が基準圧以上に上昇した場合に放圧することに特徴を有する。
【０００９】
請求項２記載の発明は、負荷時タップ切換装置を構成する切換開閉器の容器内の絶縁油面上に不活性ガスを封入して気層部を設け、かつ、該絶縁油を不活性ガス飽和油として前記容器内に密封し、前記切換開閉器のタップ切換えに伴って発生した可燃性ガスや二酸化炭素を前記気層部に移行させ、前記気層部の不活性ガス濃度が基準値以下に低下した場合に前記容器内を放圧することに特徴を有する。
【００１０】
請求項３記載の発明は、負荷時タップ切換装置を構成する切換開閉器の容器内の絶縁油面上に不活性ガスを封入して気層部を設け、かつ、該絶縁油を不活性ガス飽和油として前記容器内に密封し、前記切換開閉器のタップ切換えに伴って発生した可燃性ガスや二酸化炭素を前記気層部に移行させ、前記容器内の圧力が基準圧以上に上昇した場合若しくは前記気層部の不活性ガス濃度が基準値以下に低下した場合に前記容器内を放圧することに特徴を有する。
【００１１】
請求項４記載の発明は、負荷時タップ切換装置を構成する切換開閉器の容器内の絶縁油面上に空気による気層部を設けて絶縁油を前記容器内に密封し、前記切換開閉器のタップ切換えに伴って発生した可燃性ガスや二酸化炭素を前記気層部に移行させることに特徴を有する。
【００１２】
請求項５記載の発明は、請求項１乃至請求項４の何れかに記載の発明において、前記切換開閉器が真空バルブ式の接点を採用していることに特徴を有する。
【００１３】
請求項６記載の発明は、請求項１乃至請求項５の何れかに記載の発明において、前記絶縁油が植物系絶縁油であることに特徴を有する。
【００１４】
請求項７記載の発明は、請求項６記載の発明において、前記植物系絶縁油がパームヤシ脂肪酸エステル油等、鉱油と同等か、より粘度の低い植物系油であることに特徴を有する。
【発明の効果】
【００１５】
請求項１記載の発明によれば、絶縁油は不活性ガスによって密封されているので、酸化劣化を防止できる。また、絶縁油中で気泡化した分解ガスは、絶縁油面上の不活性ガスからなる気層部へ移行するので、気泡化した分解ガスが絶縁油の絶縁性能に悪影響を及ぼすことを防止できる。さらに、分解ガスの発生によって切換開閉器容器内の圧力が過度に上昇した場合は、容器内圧を放圧により低下させることができる。
【００１６】
請求項２記載の発明によれば、絶縁油は不活性ガスによって密封されているので、酸化劣化を防止できる。また、絶縁油中で気泡化した分解ガスは、絶縁油面上の不活性ガスからなる気層部へ移行するので、気泡化した分解ガスが絶縁油の絶縁性能に悪影響を及ぼすことを防止できる。さらに、分解ガスの発生によって切換開閉器容器内の気層部の不活性ガス濃度が低下した場合は、容器内圧を放圧により低下させることができる。
【００１７】
請求項３記載の発明によれば、絶縁油は不活性ガスによって密封されているので、酸化劣化を防止できる。また、絶縁油中で気泡化した分解ガスは、絶縁油面上の不活性ガスからなる気層部へ移行するので、気泡化した分解ガスが絶縁油の絶縁性能に悪影響を及ぼすことを防止できる。さらに、分解ガスの発生によって切換開閉器容器内の圧力が過度に上昇した場合、若しくは、分解ガスの発生によって切換開閉器容器内の気層部の不活性ガス濃度が低下した場合は、容器内圧を放圧により低下させることができる。
【００１８】
請求項４記載の発明によれば、絶縁油は密封されているので、酸化劣化を抑制することができる。また、気層部の空気は絶縁油の酸化によって消費されるので、絶縁油中で気泡化した分解ガスをより多く気層部へ移行させることができる。
【００１９】
請求項５記載の発明によれば、切換開閉器に真空バルブ式の接点を採用したので、接点開閉時のアークによって生成したスラッジが絶縁油を汚損することを防止することができる。
【００２０】
請求項６記載の発明によれば、万一漏油等の事故が発生した場合でも、環境に与える負荷を低減することができる。
【００２１】
請求項７記載の発明によれば、菜種油等と比較して粘度の低いパームヤシ脂肪酸エステル油を使用したので、切換開閉器の性能を損なうことはない。
【図面の簡単な説明】
【００２２】
【図１】本発明の一実施形態に係る負荷時タップ切換装置の正面図である。
【図２】本発明の一実施形態に係る負荷時タップ切換装置の容器内の絶縁油温度と当該容器内を放圧する基準圧の関係を示すグラフである。
【図３】本発明の他の実施形態に係る負荷時タップ切換装置の正面図である。
【発明を実施するための形態】
【００２３】
図１は変圧器に付属した負荷時タップ切換装置１の拡大図である。図１において、２は変圧器タンク３に取り付けられた負荷時タップ切換装置１を構成する切換開閉器部であり、４はタップ選択器部である。
【００２４】
２ａは切換開閉器部２の容器２ｂ内に収納される切換開閉器であり、切換開閉器２ａには、タップ切換用の接点として、例えば、真空バルブ式の切換開閉器が採用される。真空バルブ式の切換開閉器はその接点部分が絶縁油と接触しない構造であるため、接点切換時のアークによって発生するスラッジが絶縁油を汚すことがない利点を有する。
【００２５】
５は切換開閉器部２の容器２ｂ内に充填される絶縁油であり、漏油時の環境負荷を低減する場合は植物系油が使用される。植物系油としては、パームヤシ脂肪酸エステル油等、粘度の低い植物系油を使用することで、切換開閉器２ａの性能に悪影響を与えることを防止できる。
【００２６】
６は切換開閉器部２の容器２ｂの上部開口部を閉塞する蓋体であり、７は蓋体６と絶縁油５上の空間に形成される気層部である。８,９は蓋体６を介して容器２ｂ内と外部を連通可能とする給気管と排気管であり、各々の中途位置にはバルブ８ａ、９ａが設けられている。
【００２７】
１０は、容器２ａ内の圧力や、気層部７における不活性ガスの濃度を測定する測定器（センサを含む）である。なお、測定器１０は切換開閉器部２に必ずしも常設する必要はなく、測定時に設置しても良い。
【００２８】
以上のように構成された負荷時タップ切換装置１は、変圧器タンク３内に収納する図示しない変圧器本体と電気的に接続される。
【００２９】
前記気層部７には窒素等の不活性ガスが封入される。ガス封入手順は、図示しないガス供給源から不活性ガスを、給気管８を通して容器２ｂ内に供給し、気層部７内の空気を排気管９を通して外部へ放出することにより行う。
【００３０】
この不活性ガスの封入は、容器２ｂ内の絶縁油が不活性ガスで飽和し、気層部７が窒素のみに置換されるまで行われ、バルブ８ａ、９ａを閉じることにより終了する。この結果、絶縁油５が空気と接触することがなくなるので、絶縁油５の酸化劣化を防止することができる。
【００３１】
絶縁油５中に浸漬された切換開閉器２ａは、タップの切換動作によって水素やエタン等の可燃性ガスや二酸化炭素を発生する。負荷時タップ切換用の接点に真空バルブ式の接点を採用した場合は、製品仕様や運転条件によっても異なるが、タップ切換動作１回当たり、例えば、０．０１〜０．１［ｐｐｍ］のガスが発生する。
【００３２】
従来技術で説明したような、絶縁油が袋体（ゴム袋）によって完全に密封されている場合、この発生ガスが絶縁油５中に溶解し、絶縁油５中のガス濃度が増加することで、絶縁油５に対して溶解度の低い水素や酸素、窒素が絶縁油５中で気泡化し、絶縁油５の絶縁性能に支障をきたすが、本件発明では、発生ガスを気層部７へ移行させることができる。
【００３３】
したがって、絶縁油５に対して溶解度の低いガスが、絶縁油５中で気泡化することはなく、絶縁油の絶縁性能に支障をきたすことはない。
【００３４】
発生ガスを気層部７へ移行させることにより、容器２ｂの内圧の上昇、気層部７内の不活性ガスの濃度低下が生じる。
【００３５】
そこで、本発明では、内圧の上昇や不活性ガス濃度の低下を測定器１０で計測（検出）することにより、計測（検出）した気圧が基準圧を超えた場合や，不活性ガス濃度が基準濃度を下回った場合は、バルブ９ａを開放操作することで、排気管９を通して容器２ｂ外へガスを排気し、容器２ｂ内の圧力を減少させる。
【００３６】
前記基準圧は、例えば、図２に示すように、絶縁油温度（油温）との関係によって決定される。図２は周囲温度が２０℃の場合の油温の変化に対する窒素圧力（基準圧）の関係を示しており、油温が６０℃であれば基準圧は１５［ｋＰａ］となる。
【００３７】
また、前記基準濃度としては例えば、９５［％］が例示できるが、これに限定されるものではない。
【００３８】
上記基準圧を超えた場合、または、基準濃度を下回った場合、バルブ９ａの開放操作によって容器２ｂ内の圧力を減少、または、不活性ガス濃度を上昇させるが、放圧操作は手作業によるバブル操作によらなくてもよく、自動復帰型の放圧装置や自動開閉可能な弁を用いて自動的に放圧操作してもよい。
【００３９】
容器２ｂの内圧が低下した後は、切換開閉器２ａのタップの切換動作によって発生したガスを再び気層部７へ移行させることが可能となる。
【００４０】
次に、本発明の他の実施例について説明する。他の実施例においては、図１の気層部７には空気が密封されている。
【００４１】
この場合、絶縁油５が空気と接触して酸化劣化するが、接触する空気量が少ないので劣化度合いを極力抑制することができる。
【００４２】
切換開閉器２ａのタップの切換動作によって発生したガスは、第１実施例同様、気層部７へ移行させることができるので、絶縁油５に対して溶解度の低い水素や酸素、窒素が絶縁油５中で気泡化し、絶縁油５の絶縁性能に支障をきたすことはない。
【００４３】
また、気層部７の空気中の酸素が絶縁油５による酸化によって消費させるので、消費された分に相当するガスを気層部７へ移行させることが可能となる。
【００４４】
なお、発生ガスが気層部７へ移行することで、容器２ｂの内圧が基準圧（図２参照）を超えた場合には、第１実施例同様、バルブ９ａを開放操作（または自動放圧）して、排気管９からガスを容器２ｂ外へ排気してもよい。
【００４５】
また、上記実施例では切換開閉器部２の絶縁油面上に気層部７を設ける場合について説明したが、図３に示すように、切換開閉器部２の上部に挿通管１１で連結されたコンサベータ１２を取り付け、コンサベータ１２内の絶縁油面上に気層部７を設けることで、絶縁油５の膨張収縮をコンサベータ１２で吸収する構成としても良い。
【００４６】
以上説明したように、本発明によれば、切換開閉器部２の容器２ｂ内の絶縁油５を不活性ガスで密封することにより、絶縁油５の酸化劣化を防止し、或いは、容器２ｂ内の絶縁油５を空気で密封することにより、絶縁油５の酸化劣化を極力抑制し、そのうえで、切換開閉器２ａのタップの切換動作によって発生したガスを絶縁油５の油面上の気層部７へ移行させることができるので、絶縁油５中のガス濃度が上昇し、絶縁油５に対して溶解度の低い水素や酸素、窒素等が絶縁油５中で気泡化して、絶縁油５の絶縁性能に支障をきたすことを防止できる。
【産業上の利用可能性】
【００４７】
絶縁油を密封した各種電気機器に利用可能である。
【符号の説明】
【００４８】
１  負荷時タップ切換装置
２  切換開閉器部
２ａ  切換開閉器
２ｂ  切換開閉器部の容器
３  変圧器タンク
４  タップ選択器部
５  絶縁油
６  蓋体
７  気層部
８  給気管
８ａ,９ａ  バルブ
９  排気管
１０  測定器
【図１】
2019114587.tif 000003
【図２】
2019114587.tif 000004
【図３】
2019114587.tif 000005